(57)【要約】【課題】同一型式などの設備に対して、その仕様情報を設備仕様情報ＤＢ上で重複して定義、管理する必要を無くし、管理の効率化を図った設備情報管理システムを提供する。【解決手段】１つの設備を特定するための階層構造の複数の情報に各々付与した階層設備ＩＤと、該階層設備ＩＤのいずれかに対応して定義された設備仕様情報とが格納された設備仕様情報データベース１０と、前記階層設備ＩＤに該当する前記設備仕様情報データベース１０内の設備仕様情報を、最下層の階層設備ＩＤから上層の階層設備ＩＤへ順番に検索する管理制御部２０とを備える。【選択図】図１
2010176376.tif 000002
【特許請求の範囲】
【請求項１】
設備とその仕様情報を関連付けて利用する設備情報管理システムであって、
１つの設備を特定するための階層構造の複数の情報に各々付与した階層設備ＩＤと、該階層設備ＩＤのいずれかに対応して定義された設備仕様情報とが格納された設備仕様情報データベースと、
前記階層設備ＩＤに該当する前記設備仕様情報データベース内の設備仕様情報を、最下層の階層設備ＩＤから上層の階層設備ＩＤへ順番に検索する管理制御手段と、
を備えたことを特徴とする設備情報管理システム。
【請求項２】
設備とその仕様情報を関連付けて利用するシステムにおける設備情報管理方法であって、
１つの設備を特定するための階層構造の複数の情報に各々付与した階層設備ＩＤと、該階層設備ＩＤのいずれかに対応して定義された設備仕様情報とが格納された設備仕様情報データベースを備え、
管理制御手段が、
前記最下層の階層設備ＩＤに該当する設備仕様情報を前記データベースから検索する第１の検索ステップと、
前記第１の検索ステップにより検索した結果、最下層の階層設備ＩＤに該当する設備仕様情報が存在しないとき、前記最下層よりも上層の階層設備ＩＤに該当する設備仕様情報を前記データベースから検索する第２の検索ステップと、
前記第１、第２の検索ステップにより検索した結果、前記ＩＤに該当する設備仕様情報が存在するときに当該情報を関連情報とするステップと、
最上層の階層設備ＩＤに該当する設備仕様情報を検索した結果、該情報が存在しないときに該当設備に関する仕様情報は未定義であるとするステップと、
を実行することを特徴とする設備情報管理方法。
【請求項３】
コンピュータに請求項２に記載の各手順を実行させる設備情報管理プログラム。
【発明の詳細な説明】
【技術分野】
【０００１】
本発明は、設備とその仕様情報を関連付けて利用する設備情報管理システムなどにおける設備仕様情報の管理手法に関する。
【背景技術】
【０００２】
従来、一般的な設備情報管理システムは、例えば特許文献１に記載のものが提案されていた。
【先行技術文献】
【特許文献】
【０００３】
【特許文献１】特開２００６−５９２１３号公報  特許文献１に開示されているような一般的な設備情報管理システムでは、設備仕様情報管理手法として、図５に示すように、管理対象設備にそれぞれ固有の識別子（以下、設備ＩＤと称する）、ＣＧＳ−ＮＯ１、ＣＧＳ−ＮＯ２を割り付け、データベース、またはファイル上など（以下、設備仕様情報ＤＢと称する）で定義・管理する設備仕様情報にも同様の設備ＩＤ、ＣＧＳ−ＮＯ１、ＣＧＳ−ＮＯ２を設け、その対応関係により関連付けを実現している。
【発明の概要】
【発明が解決しようとする課題】
【０００４】
現状、一設備一設備ＩＤによる設備仕様情報との関連付けにより、設備情報管理を実現している。通常の利用ではこの方式で特に問題はないが、次のような場合では問題が発生する。
【０００５】
ある設備構成において、同様の形式の設備を複数台用いるような場合があるとする。この時従来の方式では、図６に示すように設備各々に固有の設備ＩＤを設定し、それに対応する設備仕様情報を設備仕様情報ＤＢで管理するが、この場合設備仕様情報ＤＢ上では固有の設備ＩＤ毎に同じ設備仕様情報を複数定義する必要がある。
【０００６】
また図７に示すような設備構成において、一次エネルギー源である都市ガスの設備仕様情報（契約内容情報）についても前述と同様な問題が発生するのに加え、契約内容を変更した際にその変更内容を設備仕様情報ＤＢに反映させる場合においても、２つの管理情報を更新する必要が生じてしまう。
【０００７】
すなわち、商用都市ガスの契約内容がＴｙｐｅ−ＡからＴｙｐｅ−Ｂに変更になった場合、同一内容に係わらず、各々の設備ＩＤに関連付けられた情報の修正が必要である。
【０００８】
従来の技術では、図７のように複数設備において同様な情報を一部持つ場合の対処として、図８に示すようなリレーショナル構造を持って対処する場合がある。リレーショナル構造とは、複数設備に対し固有情報と共通情報に分類し、それぞれに情報定義用テーブルを用意し、固有情報定義用テーブルには共通情報テーブルへの参照情報のみを定義する事で、情報の重複を避けるためのデータ構造である。
【０００９】
しかしこのような場合においては、設備の仕様項目に変更（固有情報項目、及び共通情報項目の増減など）があった場合にその修正が大掛かりになり易い。この傾向は、設備仕様情報ＤＢが大規模になればなる程顕著になる。
【００１０】
また、設備の運転シミュレーションなどに設備仕様情報ＤＢを利用するような場合において、一時的に同じ形式の設備の仕様情報を同一にしたいような時、現状の一設備一ＩＤによる設備仕様情報ＤＢとの情報リンクでは、同じ型式を持つ設備の仕様情報定義用テーブル（リレーショナル構造を持っているＤＢの場合には、固有情報定義用テーブル）全てに対して修正を加える必要が発生する。
【００１１】
本発明は上記課題を解決するものであり、その目的は、同一型式などの設備に対して、その仕様情報を設備仕様情報ＤＢ上で重複して定義、管理する必要を無くし、管理の効率化を図った設備情報管理システム、設備情報管理方法および設備情報管理プログラムを提供することにある。
【課題を解決するための手段】
【００１２】
上記課題を解決するための本発明の設備情報管理システムは、設備とその仕様情報を関連付けて利用する設備情報管理システムであって、１つの設備を特定するための階層構造の複数の情報に各々付与した階層設備ＩＤと、該階層設備ＩＤのいずれかに対応して定義された設備仕様情報とが格納された設備仕様情報データベースと、前記階層設備ＩＤに該当する前記設備仕様情報データベース内の設備仕様情報を、最下層の階層設備ＩＤから上層の階層設備ＩＤへ順番に検索する管理制御手段と、を備えたことを特徴としている。
【００１３】
また、本発明の設備情報管理方法は、設備とその仕様情報を関連付けて利用するシステムにおける設備情報管理方法であって、１つの設備を特定するための階層構造の複数の情報に各々付与した階層設備ＩＤと、該階層設備ＩＤのいずれかに対応して定義された設備仕様情報とが格納された設備仕様情報データベースを備え、管理制御手段が、前記最下層の階層設備ＩＤに該当する設備仕様情報を前記データベースから検索する第１の検索ステップと、前記第１の検索ステップにより検索した結果、最下層の階層設備ＩＤに該当する設備仕様情報が存在しないとき、前記最下層よりも上層の階層設備ＩＤに該当する設備仕様情報を前記データベースから検索する第２の検索ステップと、前記第１、第２の検索ステップにより検索した結果、前記ＩＤに該当する設備仕様情報が存在するときに当該情報を関連情報とするステップと、最上層の階層設備ＩＤに該当する設備仕様情報を検索した結果、該情報が存在しないときに該当設備に関する仕様情報は未定義であるとするステップと、を実行することを特徴としている。
【００１４】
また、本発明の設備情報管理プログラムは、コンピュータに、前記設備情報管理方法における各手順を実行させる設備情報管理プログラムである。
【発明の効果】
【００１５】
本発明によれば、同一型式などの設備に対して、その仕様情報を設備仕様情報ＤＢ上で重複して定義・管理する必要がなくなり、管理の効率化を図る事が実現できる。
【００１６】
また同一型式（商用都市ガスなどの同一契約内容も含む）に対する仕様情報（契約内容情報）の変更時も、設備仕様情報ＤＢ上の１つの設備に対して情報を変更する事で、型式ＩＤにより仕様情報を参照している全ての設備に対する変更が行える事となり、保守性の向上を図る事が実現できる。
【００１７】
また設備の階層構造自体を階層設備ＩＤで定義するため、従来のように設備仕様情報ＤＢ側にリレーショナル構造のような複雑な構造を定義する必要がなくなる。そのため、これまではこのような複雑な階層を設備仕様データ側で定義する場合は設備仕様情報ＤＢ実現用アプリケーションとしてリレーショナルデータベースを選定する必要があったが、本発明により設備仕様情報ＤＢの実現用アプリケーション選定の自由度が拡張され、規模に応じた設備仕様情報ＤＢ実現用アプリケーション（大規模な場合はデータベース、中規模の場合はＭＳ−Ｅｘｃｅｌなどの表計算アプリケーション、小規模な場合はＸＭＬ形式のテキストファイルなど）を任意に選定できるようになる。
【図面の簡単な説明】
【００１８】
【図１】本発明の設備情報管理システムの実施形態を示す構成図。
【図２】本発明の実施形態による設備仕様情報管理の一例を示す説明図。
【図３】本発明の設備情報管理方法の実施形態を示すフローチャート。
【図４】本発明の実施形態による設備仕様情報管理の他の例を示す説明図。
【図５】従来の設備仕様情報の管理手法の一例を示す説明図。
【図６】従来の設備仕様情報の管理手法における同一形式の設備仕様情報定義を示す説明図。
【図７】従来の設備仕様情報の管理手法における同一契約内容の都市ガス契約内容の変更を示す説明図。
【図８】従来の設備仕様情報の管理手法におけるリレーショナルデータ構造を示す説明図。
【発明を実施するための形態】
【００１９】
以下、図面を参照しながら本発明の実施の形態を説明するが、本発明は下記の実施形態例に限定されるものではない。
【００２０】
本発明では、従来固有の設備ＩＤを一設備につき一つ設定していたものを複数に拡張し、それに設備情報を関連付けて管理するように構成した。
【００２１】
図１は本発明の設備情報管理システムの実施形態例を示し、１０は、１つの設備を特定するための階層構造の複数の情報に各々付与した階層設備ＩＤと、該階層設備ＩＤのいずれかに対応して定義された設備仕様情報とが格納された設備仕様情報データベース（以下、設備仕様情報ＤＢと称する）である。
【００２２】
２０は、前記階層設備ＩＤに該当する前記設備仕様情報ＤＢ１０内の設備仕様情報を、最下層の階層設備ＩＤから上層の階層設備ＩＤへ順番に検索する管理制御手段としての管理制御部である。
【００２３】
通常設備は、ある設備を特定するための情報として、メーカー名、設備種別、型式、固有名称などの複数の階層構造からなる情報を持っている。本発明ではこの階層構造（ここでは例として、メーカー名、設備種別、型式、固有名称の４階層とする。）を利用し、各々にＩＤ（以下、階層設備ＩＤと称する）を設ける。各階層のＩＤに対する制約は次の通りとなる。
【００２４】
（１）最下層のＩＤ（ここでは固有名称）は、仕様情報管理対象となる全設備に固有とする。
【００２５】
（２）中間層、及び最上層のＩＤ（ここでは、型式、設備種別、メーカー名）は、重複可能とする。
【００２６】
設備仕様情報ＤＢ１０では、前記階層設備ＩＤのいずれかに該当する形で関連する設備仕様情報を管理する。階層設備ＩＤと設備仕様情報ＤＢ１０上での設備仕様情報との関連の具体例を図２に、その処理フローを図３に示し、その詳細を以下に説明する。
【００２７】
図２では、３台の発電機を例にしており、この３台は、
全てが同じメーカ（Ａ工業）
全てが同じ設備種別（ガスタービン発電機）
２台が同じ型式（Ｔｙｐｅ−Ａ）で、１台が異なる型式（Ｔｙｐｅ−Ｂ）
３台各々に固有の名称を定義（ＣＧＳ−Ｎｏ．１〜ＣＧＳ−Ｎｏ．３）
となっている。
【００２８】
また、設備仕様情報ＤＢ１０はＭＳ−Ｅｘｃｅｌのような表計算アプリケーションを利用しているものとし、ワークシートの名称として“Ｔｙｐｅ−Ａ”、“ガスタービン発電機”の２つが存在し、各々に設備仕様情報が定義されているものとする。
【００２９】
この場合における、管理制御部２０が行う各ガスタービン発電機の設備仕様情報取得処理手順は以下の通りとなる。
【００３０】
まず、固有名称“ＣＧＳ−Ｎｏ．１”のガスタービン発電機に対する設備仕様情報の設備仕様情報ＤＢ１０からの検索は、階層設備ＩＤの最下層である固有名称“ＣＧＳ−Ｎｏ．１”と同名のワークシート名を検索し、該当するシートが存在すればそれを本ガスタービン発電機の設備仕様情報とするが、今回の例では存在しないため、階層設備ＩＤの階層一つ上の型式“Ｔｙｐｅ−Ａ”で再度検索する。該当するワークシートが設備仕様情報ＤＢ１０に存在するため、これに定義されている設備仕様を、本ガスタービン発電機の設備仕様情報とする。
【００３１】
次に、固有名称“ＣＧＳ−Ｎｏ．２”についても前記と同様の処理となる。
【００３２】
次に、固有名称“ＣＧＳ−Ｎｏ．３”のガスタービン発電機に対する設備仕様情報の設備仕様情報ＤＢ１０からの検索は、階層設備ＩＤの最下層である固有名称“ＣＧＳ−Ｎｏ．３”と同名のワークシート名を検索し、該当するシートが存在すればそれを本ガスタービン発電機の設備仕様情報とするが、今回の例では存在しないため、階層設備ＩＤの階層一つ上の型式“Ｔｙｐｅ−Ｂ”で再度検索する。該当するワークシートが設備仕様情報ＤＢ１０に存在すればそれを本ガスタービン発電機の設備仕様情報とするが、今回の例ではこれも存在しないため、更に階層設備ＩＤの階層上位である設備種別“ガスタービン発電機”で再度検索する。該当するワークシートが設備仕様情報ＤＢ１０に存在するため、これに定義されている設備仕様を、本ガスタービン発電機の設備仕様情報とする。
【００３３】
上記例における処理手順をまとめると次のようになる。  
【００３４】
（１）階層設備ＩＤの最下層ＩＤ（上記例では固有名称）を処理対象とする（図３のステップＳ１）。
【００３５】
（２）処理対象となっている階層設備ＩＤに該当する設備仕様情報を設備仕様情報ＤＢ１０から検索する（上記例では、該当する名称のワークシートが存在するかを確認する）（図３のステップＳ２）。
【００３６】
（３）存在する場合は該当する情報を設備の仕様情報とするが（図３のステップＳ３，Ｓ６）、存在しない場合は階層設備ＩＤの階層上位であるＩＤ（上記例では型式）を処理対象にし、再度前記（２）を実施する（図３のステップＳ３〜Ｓ５，Ｓ２）。
【００３７】
（４）階層設備ＩＤの階層最上位まで検索して該当する設備仕様情報が設備仕様情報ＤＢ１０に存在しない場合は、その設備に対しての設備仕様情報が未定義であると判定する（図３のステップＳ４，Ｓ７）。
【００３８】
次に、本発明の他の実施例を図４とともに説明する。図４は、図２に対して、設備仕様情報ＤＢ１０に、最下層のＩＤ“ＣＧＳ−Ｎｏ．１”と同名の“ＣＧＳ−Ｎｏ．１”というワークシートを追加した例である。この場合の処理手順は次のようになる。
【００３９】
まず、固有名称“ＣＧＳ−Ｎｏ．１”のガスタービン発電機に対する設備仕様情報の設備仕様情報ＤＢ１０からの検索は、階層設備ＩＤの最下層である固有名称“ＣＧＳ−Ｎｏ．１”と同名のワークシート名を検索する（図３のステップＳ１，Ｓ２）。該当するシートが存在するため、これに定義されている設備仕様を、本ガスタービン発電機の設備仕様情報とする。
【００４０】
次に、固有名称“ＣＧＳ−Ｎｏ．２”のガスタービン発電機に対する設備仕様情報の設備仕様情報ＤＢ１０からの検索は、階層設備ＩＤの最下層である固有名称“ＣＧＳ−Ｎｏ．２”と同名のワークシート名を検索し、該当するシートが存在すればそれを本ガスタービン発電機の設備仕様情報とする（図３のステップＳ１〜Ｓ３、Ｓ６）が、今回の例では存在しないため、階層設備ＩＤの階層一つ上の型式“Ｔｙｐｅ−Ａ”で再度検索する（図３のステップＳ４，Ｓ５，Ｓ２）。該当するワークシートが設備仕様情報ＤＢ１０に存在するため、これに定義されている設備仕様を、本ガスタービン発電機の設備仕様情報とする（図３のステップＳ３，Ｓ６）。
【００４１】
次に、固有名称“ＣＧＳ−Ｎｏ．３”のガスタービン発電機に対する設備仕様情報の設備仕様情報ＤＢ１０からの検索は、階層設備ＩＤの最下層である固有名称“ＣＧＳ−Ｎｏ．３”と同名のワークシート名を検索し、該当するシートが存在すればそれを本ガスタービン発電機の設備仕様情報とする（図３のステップＳ１〜Ｓ３、Ｓ６）が、今回の例では存在しないため、階層設備ＩＤの階層一つ上の型式“Ｔｙｐｅ−Ｂ”で再度検索する（図３のステップＳ４，Ｓ５，Ｓ２）。該当するワークシートが設備仕様情報ＤＢ１０に存在すればそれを本ガスタービン発電機の設備仕様情報とするが、今回の例ではこれも存在しないため、更に階層設備ＩＤの階層上位である設備種別“ガスタービン発電機”で再度検索する（図３のステップＳ４，Ｓ５，Ｓ２）。該当するワークシートが設備仕様情報ＤＢ１０に存在するため、これに定義されている設備仕様を、本ガスタービン発電機の設備仕様情報とする（図３のステップＳ３，Ｓ６）。
【００４２】
尚、設備仕様情報ＤＢ１０を実現するアプリケーションは、例えば、大規模な場合はデータベース、中規模の場合はＭＳ−Ｅｘｃｅｌなどの表計算アプリケーション、小規模な場合はＸＭＬ形式のテキストファイルなどを任意に選定するものである。
【００４３】
また、本実施形態の設備情報管理システムにおける各手段の一部もしくは全部の機能をコンピュータのプログラムで構成し、そのプログラムをコンピュータを用いて実行して本発明を実現することができること、本実施形態の設備情報管理方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００４４】
１０…設備仕様情報ＤＢ
２０…管理制御部
【図１】
2010176376.tif 000003
【図２】
2010176376.tif 000004
【図３】
2010176376.tif 000005
【図４】
2010176376.tif 000006
【図５】
2010176376.tif 000007
【図６】
2010176376.tif 000008
【図７】
2010176376.tif 000009
【図８】
2010176376.tif 000010